(57)【要約】【課題】本発明は多機能自動車収納箱を開示した。【解決手段】机を使う時、蓋を取り外し、二つの机の板を上へ限界まで引っ張って回転し、縦棒を推し動かしてて降ろし、これにより台形ブロックを押し動かして阻止溝の中に入らせてロックし、二つの机の板はテーブルに組み立てる；ワイン等割れ物を収納する時、ネジ山軸を回転し、ネジ山軸と方形ブロックとのネジ山による噛み合いを通じて、方形ブロックを後へ移動連動させ、二つの斜面ブロックを互いに遠ざからせ、回転棒を推して回転させ、主動歯車と従動軸との噛合によって、支え棒を回転連動させ、ワイン瓶を回転棒と支え棒によって組み立てられるホルダーに置き、溝ブロックを引っ張って回転板を九十度回転し、短棒を九十度回転連動させ、ハンドルを回転し、運動ブロックをベルトに従って降下連動させ、回転板がワイン瓶の上端をきつく挟むようになると、回転板の上側に他の物品を収納できる。【選択図】図１
2020147261.tif 000002
【特許請求の範囲】
【請求項１】
多機能自動車収納箱であって、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と方形溝を含み、前記凸字型ブロックには机の板がヒンジで接続され、前記机の板が回転する時前記縦棒を下へ推せ、それにより前記台形ブロックを連動させて前記阻止溝の中に入って固定させ、前記方形溝の中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記方形溝の上側には制限溝が設置されており、前記制限溝の中には前記制限溝に阻止される三角ブロックが設置されており、二つの前記机の板が九十度回転して一つの平面に合わせることを特徴とする多機能自動車収納箱。
【請求項２】
前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができることを特徴とする請求項1に記載の多機能自動車収納箱。
【請求項３】
前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には方形溝が設置されている；
前記方形溝の上端壁には制限溝が設置されており、前記方形溝の上端壁には寛溝が設置されており、前記寛溝の左右端壁には円形溝が対称的に設置されており、前記円形溝の下端壁には細溝が設置されており、前記方形溝の中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記寛溝の後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れることを特徴とする請求項1に記載の多機能自動車収納箱。
【発明の詳細な説明】
【技術分野】
【０００１】
本発明は自動車用品の分野を取り上げて、具体的には多機能自動車収納箱である。
【背景技術】
【０００２】
自動車収納箱は自動車専用の収納工具であり、ところが現有の自動車の収納箱は大体物品を収納する機能しかなく、それに割れ物の収納には特殊な措置がなく、使用者の多様化要求を満足しにくい。
【先行技術文献】
【特許文献】
【０００３】
【特許文献１】中国特許出願公開第104442580号明細書
【発明の概要】
【発明が解決しようとする課題】
【０００４】
本発明の目的は多機能自動車収納箱を提供し、上記背景技術に提出される問題を解決する。
【課題を解決するための手段】
【０００５】
本発明の多機能自動車収納箱は、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と方形溝を含み、前記凸字型ブロックには机の板がヒンジで接続され、前記机の板が回転する時前記縦棒を下へ推せ、それにより前記台形ブロックを連動させて前記阻止溝の中に入って固定させ、前記方形溝の中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記方形溝の上側には制限溝が設置されており、前記制限溝の中には前記制限溝に阻止される三角ブロックが設置されており、二つの前記机の板が九十度回転して一つの平面に合わせる。
【０００６】
更なる技術方案、前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができ。
【０００７】
更なる技術方案、前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には方形溝が設置されている；
【０００８】
前記方形溝の上端壁には制限溝が設置されており、前記方形溝の上端壁には寛溝が設置されており、前記寛溝の左右端壁には円形溝が対称的に設置されており、前記円形溝の下端壁には細溝が設置されており、前記方形溝の中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記寛溝の後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れる
【発明の効果】
【０００９】
本発明の有益な効果は下記の通りである：
【００１０】
この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【図面の簡単な説明】
【００１１】
【図１】は本発明の多機能自動車収納箱の全体断面の正面構成模式図であり；
【図２】は本発明の多機能自動車収納箱の凸字型ブロックの拡大構成模式図であり；
【図３】は本発明の多機能自動車収納箱の回転板の正面断面構成模式図であり；
【図４】は本発明の多機能自動車収納箱の寛溝の右面断面構成模式図であり；
【図５】は本発明の多機能自動車収納箱のネジ山軸の左面断面構成模式図であり；
【図６】は本発明の多機能自動車収納箱の円形溝の左面断面構成模式図である。
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−６を参考して、本発明が提供する実施例：多機能自動車収納箱は、収納箱を含み、前記収納箱の中には収納機構７０が設置されており、前記収納機構７０はネジ山軸３０と、二つの回転棒２８と、二つの主動歯車２６と、二つの従動歯車２４と二つの支え棒２３を含み、前記ネジ山軸３１には方形ブロック２９がネジ山によって係合され、前記方形ブロック２９を中心として二つの斜面ブロック３６が左右に対称的に設置されており、前記方形ブロック２９は後へ移動して二つの前記斜面ブロック３６を推して互いに遠ざからせることができ、これにより前記回転棒２８を回転させ、前記主動歯車２６と前記従動歯車２４との噛合によって支え棒２３を回転棒２８に従って回転連動させることができ、前記収納機構７０を中心にして机機構７１が左右に対称的に設置されており、前記机機構７１の中がベルト６０によって摩擦伝動を行い、前記机機構７１は凸字型ブロック１１と、縦棒３９と、台形ブロック４１と、阻止溝２１と方形溝５６を含み、前記凸字型ブロック１１には机の板１４がヒンジで接続され、前記机の板１４が回転する時前記縦棒３９を下へ推せ、それにより前記台形ブロック４１を連動させて前記阻止溝２１の中に入って固定させ、前記方形溝５６の中には扇形ブロック５５と、細溝５３と、短棒５１と伝動溝６１が設置されており、前記扇形ブロック５５が九十度回転して前記細溝５３の中に入られ、前記短棒５１が九十度回転した後に前記運動ブロック６４が前記短棒５１を推して昇降させることができ、前記運動ブロック６４が前記ベルト６０に従って移動し、前記方形溝５６の上側には制限溝４８が設置されており、前記制限溝４８の中には前記制限溝４８に阻止される三角ブロック４７が設置されており、二つの前記机の板１４が九十度回転して一つの平面に合わせる。
【００１４】
有益なように、前記収納機構７０は前記方形ブロック２９を含み、前記収納箱１０の中には長溝３１が設置されており、前記長溝の左右端壁の中には支え溝２２が対称的に設置されており、前記支え溝２２と前記長溝３１が中間溝３２によって連通され、前記長溝３１の後端壁にはネジ山軸３０が回転できるように設置されており、前記ネジ山軸３０には前記長溝３１とスライドできるように接続される方形ブロック２９がネジ山によって係合され、左側の前記中間溝３２の下端壁には弾性溝３５が設置されており、前記弾性溝３５の右端壁には弾性撥条３３が固定され、前記弾性撥条３３の左端には前記弾性溝３５とスライドできるように接続される弾性ブロック３４が固定され、前記弾性ブロック３４の上端には斜面ブロック３６が固定され、右端の前記支え溝２２の後端壁には主動軸２７と従動軸２５が回転できるように設置されており、前記主動軸２７には主動歯車２６が固定され、前記主動歯車２６の左端面には回転棒２８が固定され、前記従動軸２５には前記主動歯車２６と噛み合う従動歯車２４が固定され、前記従動歯車２４の右端面には支え棒２３が固定され、それに、前記方形ブロック２９が後へ移動することによって二つの前記斜面ブロック３６を押し動かして相互に遠ざからせることができ。
【００１５】
有益なように、前記机機構７１は机の板１４を含み、前記収納箱１０の上端面には収納箱１０が設置されており、前記収納箱１０には蓋１７がスライドできるように設置されており、前記収納溝１９の左右端壁の中には縦溝１５が対称的に設置されており、前記縦溝１５と前記収納溝１９は阻止溝２１によって連通され、左側の前記縦溝１５の中には凸字型ブロック１１がスライドできるように設置されており、前記凸字型ブロック１１の上端面には机の板１４がヒンジで接続され、前記凸字型ブロック１１の上端面には延伸溝４０が設置されており、前記延伸溝４０の左端壁には移動溝３７が設置されており、前記延伸溝４０の下端壁には伸縮溝４５が設置されており、前記伸縮溝４５の下端壁には弾力溝４２が設置されており、前記移動溝３７の中には移動ブロック３８がスライドできるように設置されており、前記移動ブロック３８の右端には縦棒３９が固定され、前記弾力溝４２の左端壁には弾力撥条４４が固定され、前記弾力撥条４４の右端には前記弾力溝４２とスライドできるように接続される弾力ブロック４３が固定され、前記弾力ブロック４３の上端には台形ブロック４１が固定され、前記収納溝１９の後端壁には方形溝５６が設置されている；
【００１６】
その中、前記方形溝５６の上端壁には制限溝４８が設置されており、前記方形溝５６の上端壁には寛溝５０が設置されており、前記寛溝５０の左右端壁には円形溝５４が対称的に設置されており、前記円形溝５４の下端壁には細溝５３が設置されており、前記方形溝５６の中には回転板２０が設置されており、前記回転板２０の前端面には溝ブロック１８が固定され、前記回転板２０の上端面には圧力溝４６が設置されており、前記圧力溝４６の下端には圧力撥条４９が固定され、前記圧力撥条４９の上端には三角ブロック４７が固定され、前記回転板２０の下端には短棒５１が固定され、前記短棒５１には横軸５２が固定され、前記短棒５１の左右端には扇形ブロック５５が対称的に固定され、前記寛溝５０の後端壁には伝動溝６１が設置されており、前記伝動溝６１の後端壁にはハンドル１３とプーリ軸６２が回転できるように設置されており、前記ハンドル１３の左端が外部に位置し、前記ハンドル１３には主動プーリ５７が固定され、前記プーリ軸６２にはベルト６０と前記主動プーリ５７によって摩擦伝動を行う従動プーリ６３が固定され、前記ベルト６０の左端面には運動ブロック６４が固定され、それに、前記扇形ブロック５５を九十度回転すると、前記扇形ブロック５５が前記細溝５３の中に入れる。
【００１７】
以下、付図１−６及び上記の本願発明の多機能自動車収納箱の具体的な構造を参考してその使い方を詳しく説明する：
【００１８】
机を使う時、蓋１７を取り外し、二つの机の板１４を上へ限界まで引っ張って回転し、縦棒３９を推し動かしてて降ろし、これにより台形ブロック４１を押し動かして阻止溝２１の中に入らせてロックし、二つの机の板１４はテーブルに組み立てる；
【００１９】
ワイン等割れ物を収納する時、ネジ山軸３０を回転し、ネジ山軸３０と方形ブロック２９とのネジ山による噛み合いを通じて、方形ブロック２９を後へ移動連動させ、二つの斜面ブロック３６を互いに遠ざからせ、回転棒２８を推して回転させ、主動歯車２６と従動軸２５との噛合によって、支え棒２３を回転連動させ、ワイン瓶を回転棒２８と支え棒２３によって組み立てられるホルダーに置き、溝ブロック１８を引っ張って回転板２０を九十度回転し、短棒５１を九十度回転連動させ、ハンドル１３を回転し、運動ブロック６４をベルト６０に従って降下連動させ、短棒を推して降下させ、回転板２０がワイン瓶の上端をきつく挟むようになると、回転板２０の上側に他の物品を収納できる。
【００２０】
本発明の有益な効果は：この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020147261.tif 000003
【図２】
2020147261.tif 000004
【図３】
2020147261.tif 000005
【図４】
2020147261.tif 000006
【図５】
2020147261.tif 000007
【図６】
2020147261.tif 000008
【手続補正書】
【提出日】令和1年6月7日(2019.6.7)
【手続補正１】
【補正対象書類名】特許請求の範囲
【補正対象項目名】請求項１
【補正方法】変更
【補正の内容】
【請求項１】
多機能自動車収納箱であって、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と第二空きチャンバを含み、前記凸字型ブロックには机の板がヒンジで接続され、前記机の板が回転する時前記縦棒を下へ推せ、それにより前記台形ブロックを連動させて前記阻止溝の中に入って固定させ、前記第二空きチャンバの中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記第二空きチャンバの上側には第三空きチャンバが設置されており、前記第三空きチャンバの中には前記第三空きチャンバに阻止される三角ブロックが設置されており、二つの前記机の板が九十度回転して一つの平面に合わせ、
前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができ、
前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には第二空きチャンバが設置されており、
前記第二空きチャンバの上端壁には第三空きチャンバが設置されており、前記第二空きチャンバの上端壁には第一空きチャンバが設置されており、前記第一空きチャンバの左右端壁には円形チャンバが対称的に設置されており、前記円形チャンバの下端壁には細溝が設置されており、前記第二空きチャンバの中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記第一空きチャンバの後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れることを特徴とする多機能自動車収納箱。
【手続補正２】
【補正対象書類名】明細書
【補正対象項目名】全文
【補正方法】変更
【補正の内容】
【発明の詳細な説明】
【技術分野】
【０００１】
本発明は自動車用品の分野を取り上げて、具体的には多機能自動車収納箱である。
【背景技術】
【０００２】
自動車収納箱は自動車専用の収納工具であり、ところが現有の自動車の収納箱は大体物品を収納する機能しかなく、それに割れ物の収納には特殊な措置がなく、使用者の多様化要求を満足しにくい。
【先行技術文献】
【特許文献】
【０００３】
【特許文献１】中国特許出願公開第１０４４４２５８０号明細書
【発明の概要】
【発明が解決しようとする課題】
【０００４】
本発明の目的は多機能自動車収納箱を提供し、上記背景技術に提出される問題を解決する。
【課題を解決するための手段】
【０００５】
本発明の多機能自動車収納箱は、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と第二空きチャンバを含み、前記凸字型ブロックには机の板がヒンジで接続され、前記机の板が回転する時前記縦棒を下へ推せ、それにより前記台形ブロックを連動させて前記阻止溝の中に入って固定させ、前記第二空きチャンバの中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記第二空きチャンバの上側には第三空きチャンバが設置されており、前記第三空きチャンバの中には前記第三空きチャンバに阻止される三角ブロックが設置されており、二つの前記机の板が九十度回転して一つの平面に合わせる。
【０００６】
更なる技術方案、前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができ。
【０００７】
更なる技術方案、前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には第二空きチャンバが設置されている。
【０００８】
前記第二空きチャンバの上端壁には第三空きチャンバが設置されており、前記第二空きチャンバの上端壁には第一空きチャンバが設置されており、前記第一空きチャンバの左右端壁には円形チャンバが対称的に設置されており、前記円形チャンバの下端壁には細溝が設置されており、前記第二空きチャンバの中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記第一空きチャンバの後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れる
【発明の効果】
【０００９】
本発明の有益な効果は下記の通りである：
【００１０】
この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【図面の簡単な説明】
【００１１】
【図１】は本発明の多機能自動車収納箱の全体断面の正面構成模式図
【図２】は本発明の多機能自動車収納箱の凸字型ブロックの拡大構成模式図
【図３】は本発明の多機能自動車収納箱の回転板の正面断面構成模式図
【図４】は本発明の多機能自動車収納箱の第一空きチャンバの右面断面構成模式図
【図５】は本発明の多機能自動車収納箱のネジ山軸の左面断面構成模式図
【図６】は本発明の多機能自動車収納箱の円形チャンバの左面断面構成模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−６を参考して、本発明が提供する実施例：多機能自動車収納箱は、収納箱を含み、前記収納箱の中には収納機構７０が設置されており、前記収納機構７０はネジ山軸３０と、二つの回転棒２８と、二つの主動歯車２６と、二つの従動歯車２４と二つの支え棒２３を含み、前記ネジ山軸３１には方形ブロック２９がネジ山によって係合され、前記方形ブロック２９を中心として二つの斜面ブロック３６が左右に対称的に設置されており、前記方形ブロック２９は後へ移動して二つの前記斜面ブロック３６を推して互いに遠ざからせることができ、これにより前記回転棒２８を回転させ、前記主動歯車２６と前記従動歯車２４との噛合によって支え棒２３を回転棒２８に従って回転連動させることができ、前記収納機構７０を中心にして机機構７１が左右に対称的に設置されており、前記机機構７１の中がベルト６０によって摩擦伝動を行い、前記机機構７１は凸字型ブロック１１と、縦棒３９と、台形ブロック４１と、阻止溝２１と第二空きチャンバ５６を含み、前記凸字型ブロック１１には机の板１４がヒンジで接続され、前記机の板１４が回転する時前記縦棒３９を下へ推せ、それにより前記台形ブロック４１を連動させて前記阻止溝２１の中に入って固定させ、前記第二空きチャンバ５６の中には扇形ブロック５５と、細溝５３と、短棒５１と伝動溝６１が設置されており、前記扇形ブロック５５が九十度回転して前記細溝５３の中に入られ、前記短棒５１が九十度回転した後に前記運動ブロック６４が前記短棒５１を推して昇降させることができ、前記運動ブロック６４が前記ベルト６０に従って移動し、前記第二空きチャンバ５６の上側には第三空きチャンバ４８が設置されており、前記第三空きチャンバ４８の中には前記第三空きチャンバ４８に阻止される三角ブロック４７が設置されており、二つの前記机の板１４が九十度回転して一つの平面に合わせる。
【００１４】
有益なように、前記収納機構７０は前記方形ブロック２９を含み、前記収納箱１０の中には長溝３１が設置されており、前記長溝の左右端壁の中には支え溝２２が対称的に設置されており、前記支え溝２２と前記長溝３１が中間溝３２によって連通され、前記長溝３１の後端壁にはネジ山軸３０が回転できるように設置されており、前記ネジ山軸３０には前記長溝３１とスライドできるように接続される方形ブロック２９がネジ山によって係合され、左側の前記中間溝３２の下端壁には弾性溝３５が設置されており、前記弾性溝３５の右端壁には弾性撥条３３が固定され、前記弾性撥条３３の左端には前記弾性溝３５とスライドできるように接続される弾性ブロック３４が固定され、前記弾性ブロック３４の上端には斜面ブロック３６が固定され、右端の前記支え溝２２の後端壁には主動軸２７と従動軸２５が回転できるように設置されており、前記主動軸２７には主動歯車２６が固定され、前記主動歯車２６の左端面には回転棒２８が固定され、前記従動軸２５には前記主動歯車２６と噛み合う従動歯車２４が固定され、前記従動歯車２４の右端面には支え棒２３が固定され、それに、前記方形ブロック２９が後へ移動することによって二つの前記斜面ブロック３６を押し動かして相互に遠ざからせることができ。
【００１５】
有益なように、前記机機構７１は机の板１４を含み、前記収納箱１０の上端面には収納箱１０が設置されており、前記収納箱１０には蓋１７がスライドできるように設置されており、前記収納溝１９の左右端壁の中には縦溝１５が対称的に設置されており、前記縦溝１５と前記収納溝１９は阻止溝２１によって連通され、左側の前記縦溝１５の中には凸字型ブロック１１がスライドできるように設置されており、前記凸字型ブロック１１の上端面には机の板１４がヒンジで接続され、前記凸字型ブロック１１の上端面には延伸溝４０が設置されており、前記延伸溝４０の左端壁には移動溝３７が設置されており、前記延伸溝４０の下端壁には伸縮溝４５が設置されており、前記伸縮溝４５の下端壁には弾力溝４２が設置されており、前記移動溝３７の中には移動ブロック３８がスライドできるように設置されており、前記移動ブロック３８の右端には縦棒３９が固定され、前記弾力溝４２の左端壁には弾力撥条４４が固定され、前記弾力撥条４４の右端には前記弾力溝４２とスライドできるように接続される弾力ブロック４３が固定され、前記弾力ブロック４３の上端には台形ブロック４１が固定され、前記収納溝１９の後端壁には第二空きチャンバ５６が設置されている。
【００１６】
その中、前記第二空きチャンバ５６の上端壁には第三空きチャンバ４８が設置されており、前記第二空きチャンバ５６の上端壁には第一空きチャンバ５０が設置されており、前記第一空きチャンバ５０の左右端壁には円形チャンバ５４が対称的に設置されており、前記円形チャンバ５４の下端壁には細溝５３が設置されており、前記第二空きチャンバ５６の中には回転板２０が設置されており、前記回転板２０の前端面には溝ブロック１８が固定され、前記回転板２０の上端面には圧力溝４６が設置されており、前記圧力溝４６の下端には圧力撥条４９が固定され、前記圧力撥条４９の上端には三角ブロック４７が固定され、前記回転板２０の下端には短棒５１が固定され、前記短棒５１には横軸５２が固定され、前記短棒５１の左右端には扇形ブロック５５が対称的に固定され、前記第一空きチャンバ５０の後端壁には伝動溝６１が設置されており、前記伝動溝６１の後端壁にはハンドル１３とプーリ軸６２が回転できるように設置されており、前記ハンドル１３の左端が外部に位置し、前記ハンドル１３には主動プーリ５７が固定され、前記プーリ軸６２にはベルト６０と前記主動プーリ５７によって摩擦伝動を行う従動プーリ６３が固定され、前記ベルト６０の左端面には運動ブロック６４が固定され、それに、前記扇形ブロック５５を九十度回転すると、前記扇形ブロック５５が前記細溝５３の中に入れる。
【００１７】
以下、付図１−６及び上記の本願発明の多機能自動車収納箱の具体的な構造を参考してその使い方を詳しく説明し、
【００１８】
机を使う時、蓋１７を取り外し、二つの机の板１４を上へ限界まで引っ張って回転し、縦棒３９を推し動かしてて降ろし、これにより台形ブロック４１を押し動かして阻止溝２１の中に入らせてロックし、二つの机の板１４はテーブルに組み立てる。
【００１９】
ワイン等割れ物を収納する時、ネジ山軸３０を回転し、ネジ山軸３０と方形ブロック２９とのネジ山による噛み合いを通じて、方形ブロック２９を後へ移動連動させ、二つの斜面ブロック３６を互いに遠ざからせ、回転棒２８を推して回転させ、主動歯車２６と従動軸２５との噛合によって、支え棒２３を回転連動させ、ワイン瓶を回転棒２８と支え棒２３によって組み立てられるホルダーに置き、溝ブロック１８を引っ張って回転板２０を九十度回転し、短棒５１を九十度回転連動させ、ハンドル１３を回転し、運動ブロック６４をベルト６０に従って降下連動させ、短棒を推して降下させ、回転板２０がワイン瓶の上端をきつく挟むようになると、回転板２０の上側に他の物品を収納できる。
【００２０】
本発明の有益な効果は：この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
多機能自動車収納箱であって、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と第二空きチャンバを含み、前記凸字型ブロックには机の板がヒンジで接続され、前記机の板が回転する時前記縦棒を下へ推せ、それにより前記台形ブロックを連動させて前記阻止溝の中に入って固定させ、前記第二空きチャンバの中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記第二空きチャンバの上側には第三空きチャンバが設置されており、前記第三空きチャンバの中には前記第三空きチャンバに阻止される三角ブロックが設置されており、二つの前記机の板が九十度回転して一つの平面に合わせ、
前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができ、
前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には第二空きチャンバが設置されており、
前記第二空きチャンバの上端壁には第三空きチャンバが設置されており、前記第二空きチャンバの上端壁には第一空きチャンバが設置されており、前記第一空きチャンバの左右端壁には円形チャンバが対称的に設置されており、前記円形チャンバの下端壁には細溝が設置されており、前記第二空きチャンバの中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記第一空きチャンバの後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れることを特徴とする多機能自動車収納箱。
【手続補正２】
【補正対象書類名】明細書
【補正対象項目名】全文
【補正方法】変更
【補正の内容】
【発明の詳細な説明】
【技術分野】
【０００１】
本発明は自動車用品の分野を取り上げて、具体的には多機能自動車収納箱である。
【背景技術】
【０００２】
自動車収納箱は自動車専用の収納工具であり、ところが現有の自動車の収納箱は大体物品を収納する機能しかなく、それに割れ物の収納には特殊な措置がなく、使用者の多様化要求を満足しにくい。
【先行技術文献】
【特許文献】
【０００３】
【特許文献１】中国特許出願公開第１０４４４２５８０号明細書
【発明の概要】
【発明が解決しようとする課題】
【０００４】
本発明の目的は多機能自動車収納箱を提供し、上記背景技術に提出される問題を解決する。
【課題を解決するための手段】
【０００５】
本発明の多機能自動車収納箱は、収納箱を含み、前記収納箱の中には収納機構が設置されており、前記収納機構はネジ山軸と、二つの回転棒と、二つの主動歯車と、二つの従動歯車と二つの支え棒を含み、前記ネジ山軸には方形ブロックがネジ山によって係合され、前記方形ブロックを中心として二つの斜面ブロックが左右に対称的に設置されており、前記方形ブロックは後へ移動して二つの前記斜面ブロックを推して互いに遠ざからせることができ、これにより前記回転棒を回転させ、前記主動歯車と前記従動歯車との噛合によって支え棒を回転棒に従って回転連動させることができ、前記収納機構を中心にして机機構が左右に対称的に設置されており、前記机機構の中がベルトによって摩擦伝動を行い、前記机機構は凸字型ブロックと、縦棒と、台形ブロックと、阻止溝と第二空きチャンバを含み、前記凸字型ブロックには机の板がヒンジで接続され、前記机の板が回転する時前記縦棒を下へ推せ、それにより前記台形ブロックを連動させて前記阻止溝の中に入って固定させ、前記第二空きチャンバの中には扇形ブロックと、細溝と、短棒と伝動溝が設置されており、前記扇形ブロックが九十度回転して前記細溝の中に入られ、前記短棒が九十度回転した後に前記運動ブロックが前記短棒を推して昇降させることができ、前記運動ブロックが前記ベルトに従って移動し、前記第二空きチャンバの上側には第三空きチャンバが設置されており、前記第三空きチャンバの中には前記第三空きチャンバに阻止される三角ブロックが設置されており、二つの前記机の板が九十度回転して一つの平面に合わせる。
【０００６】
更なる技術方案、前記収納機構は前記方形ブロックを含み、前記収納箱の中には長溝が設置されており、前記長溝の左右端壁の中には支え溝が対称的に設置されており、前記支え溝と前記長溝が中間溝によって連通され、前記長溝の後端壁にはネジ山軸が回転できるように設置されており、前記ネジ山軸には前記長溝とスライドできるように接続される方形ブロックがネジ山によって係合され、左側の前記中間溝の下端壁には弾性溝が設置されており、前記弾性溝の右端壁には弾性撥条が固定され、前記弾性撥条の左端には前記弾性溝とスライドできるように接続される弾性ブロックが固定され、前記弾性ブロックの上端には斜面ブロックが固定され、右端の前記支え溝の後端壁には主動軸と従動軸が回転できるように設置されており、前記主動軸には主動歯車が固定され、前記主動歯車の左端面には回転棒が固定され、前記従動軸には前記主動歯車と噛み合う従動歯車が固定され、前記従動歯車の右端面には支え棒が固定され、それに、前記方形ブロックが後へ移動することによって二つの前記斜面ブロックを押し動かして相互に遠ざからせることができ。
【０００７】
更なる技術方案、前記机機構は机の板を含み、前記収納箱の上端面には収納箱が設置されており、前記収納箱には蓋がスライドできるように設置されており、前記収納溝の左右端壁の中には縦溝が対称的に設置されており、前記縦溝と前記収納溝は阻止溝によって連通され、左側の前記縦溝の中には凸字型ブロックがスライドできるように設置されており、前記凸字型ブロックの上端面には机の板がヒンジで接続され、前記凸字型ブロックの上端面には延伸溝が設置されており、前記延伸溝の左端壁には移動溝が設置されており、前記延伸溝の下端壁には伸縮溝が設置されており、前記伸縮溝の下端壁には弾力溝が設置されており、前記移動溝の中には移動ブロックがスライドできるように設置されており、前記移動ブロックの右端には縦棒が固定され、前記弾力溝の左端壁には弾力撥条が固定され、前記弾力撥条の右端には前記弾力溝とスライドできるように接続される弾力ブロックが固定され、前記弾力ブロックの上端には台形ブロックが固定され、前記収納溝の後端壁には第二空きチャンバが設置されている。
【０００８】
前記第二空きチャンバの上端壁には第三空きチャンバが設置されており、前記第二空きチャンバの上端壁には第一空きチャンバが設置されており、前記第一空きチャンバの左右端壁には円形チャンバが対称的に設置されており、前記円形チャンバの下端壁には細溝が設置されており、前記第二空きチャンバの中には回転板が設置されており、前記回転板の前端面には溝ブロックが固定され、前記回転板の上端面には圧力溝が設置されており、前記圧力溝の下端には圧力撥条が固定され、前記圧力撥条の上端には三角ブロックが固定され、前記回転板の下端には短棒が固定され、前記短棒には横軸が固定され、前記短棒の左右端には扇形ブロックが対称的に固定され、前記第一空きチャンバの後端壁には伝動溝が設置されており、前記伝動溝の後端壁にはハンドルとプーリ軸が回転できるように設置されており、前記ハンドルの左端が外部に位置し、前記ハンドルには主動プーリが固定され、前記プーリ軸にはベルトと前記主動プーリによって摩擦伝動を行う従動プーリが固定され、前記ベルトの左端面には運動ブロックが固定され、それに、前記扇形ブロックを九十度回転すると、前記扇形ブロックが前記細溝の中に入れる
【発明の効果】
【０００９】
本発明の有益な効果は下記の通りである：
【００１０】
この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【図面の簡単な説明】
【００１１】
【図１】は本発明の多機能自動車収納箱の全体断面の正面構成模式図
【図２】は本発明の多機能自動車収納箱の凸字型ブロックの拡大構成模式図
【図３】は本発明の多機能自動車収納箱の回転板の正面断面構成模式図
【図４】は本発明の多機能自動車収納箱の第一空きチャンバの右面断面構成模式図
【図５】は本発明の多機能自動車収納箱のネジ山軸の左面断面構成模式図
【図６】は本発明の多機能自動車収納箱の円形チャンバの左面断面構成模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−６を参考して、本発明が提供する実施例：多機能自動車収納箱は、収納箱を含み、前記収納箱の中には収納機構７０が設置されており、前記収納機構７０はネジ山軸３０と、二つの回転棒２８と、二つの主動歯車２６と、二つの従動歯車２４と二つの支え棒２３を含み、前記ネジ山軸３１には方形ブロック２９がネジ山によって係合され、前記方形ブロック２９を中心として二つの斜面ブロック３６が左右に対称的に設置されており、前記方形ブロック２９は後へ移動して二つの前記斜面ブロック３６を推して互いに遠ざからせることができ、これにより前記回転棒２８を回転させ、前記主動歯車２６と前記従動歯車２４との噛合によって支え棒２３を回転棒２８に従って回転連動させることができ、前記収納機構７０を中心にして机機構７１が左右に対称的に設置されており、前記机機構７１の中がベルト６０によって摩擦伝動を行い、前記机機構７１は凸字型ブロック１１と、縦棒３９と、台形ブロック４１と、阻止溝２１と第二空きチャンバ５６を含み、前記凸字型ブロック１１には机の板１４がヒンジで接続され、前記机の板１４が回転する時前記縦棒３９を下へ推せ、それにより前記台形ブロック４１を連動させて前記阻止溝２１の中に入って固定させ、前記第二空きチャンバ５６の中には扇形ブロック５５と、細溝５３と、短棒５１と伝動溝６１が設置されており、前記扇形ブロック５５が九十度回転して前記細溝５３の中に入られ、前記短棒５１が九十度回転した後に前記運動ブロック６４が前記短棒５１を推して昇降させることができ、前記運動ブロック６４が前記ベルト６０に従って移動し、前記第二空きチャンバ５６の上側には第三空きチャンバ４８が設置されており、前記第三空きチャンバ４８の中には前記第三空きチャンバ４８に阻止される三角ブロック４７が設置されており、二つの前記机の板１４が九十度回転して一つの平面に合わせる。
【００１４】
有益なように、前記収納機構７０は前記方形ブロック２９を含み、前記収納箱１０の中には長溝３１が設置されており、前記長溝の左右端壁の中には支え溝２２が対称的に設置されており、前記支え溝２２と前記長溝３１が中間溝３２によって連通され、前記長溝３１の後端壁にはネジ山軸３０が回転できるように設置されており、前記ネジ山軸３０には前記長溝３１とスライドできるように接続される方形ブロック２９がネジ山によって係合され、左側の前記中間溝３２の下端壁には弾性溝３５が設置されており、前記弾性溝３５の右端壁には弾性撥条３３が固定され、前記弾性撥条３３の左端には前記弾性溝３５とスライドできるように接続される弾性ブロック３４が固定され、前記弾性ブロック３４の上端には斜面ブロック３６が固定され、右端の前記支え溝２２の後端壁には主動軸２７と従動軸２５が回転できるように設置されており、前記主動軸２７には主動歯車２６が固定され、前記主動歯車２６の左端面には回転棒２８が固定され、前記従動軸２５には前記主動歯車２６と噛み合う従動歯車２４が固定され、前記従動歯車２４の右端面には支え棒２３が固定され、それに、前記方形ブロック２９が後へ移動することによって二つの前記斜面ブロック３６を押し動かして相互に遠ざからせることができ。
【００１５】
有益なように、前記机機構７１は机の板１４を含み、前記収納箱１０の上端面には収納箱１０が設置されており、前記収納箱１０には蓋１７がスライドできるように設置されており、前記収納溝１９の左右端壁の中には縦溝１５が対称的に設置されており、前記縦溝１５と前記収納溝１９は阻止溝２１によって連通され、左側の前記縦溝１５の中には凸字型ブロック１１がスライドできるように設置されており、前記凸字型ブロック１１の上端面には机の板１４がヒンジで接続され、前記凸字型ブロック１１の上端面には延伸溝４０が設置されており、前記延伸溝４０の左端壁には移動溝３７が設置されており、前記延伸溝４０の下端壁には伸縮溝４５が設置されており、前記伸縮溝４５の下端壁には弾力溝４２が設置されており、前記移動溝３７の中には移動ブロック３８がスライドできるように設置されており、前記移動ブロック３８の右端には縦棒３９が固定され、前記弾力溝４２の左端壁には弾力撥条４４が固定され、前記弾力撥条４４の右端には前記弾力溝４２とスライドできるように接続される弾力ブロック４３が固定され、前記弾力ブロック４３の上端には台形ブロック４１が固定され、前記収納溝１９の後端壁には第二空きチャンバ５６が設置されている。
【００１６】
その中、前記第二空きチャンバ５６の上端壁には第三空きチャンバ４８が設置されており、前記第二空きチャンバ５６の上端壁には第一空きチャンバ５０が設置されており、前記第一空きチャンバ５０の左右端壁には円形チャンバ５４が対称的に設置されており、前記円形チャンバ５４の下端壁には細溝５３が設置されており、前記第二空きチャンバ５６の中には回転板２０が設置されており、前記回転板２０の前端面には溝ブロック１８が固定され、前記回転板２０の上端面には圧力溝４６が設置されており、前記圧力溝４６の下端には圧力撥条４９が固定され、前記圧力撥条４９の上端には三角ブロック４７が固定され、前記回転板２０の下端には短棒５１が固定され、前記短棒５１には横軸５２が固定され、前記短棒５１の左右端には扇形ブロック５５が対称的に固定され、前記第一空きチャンバ５０の後端壁には伝動溝６１が設置されており、前記伝動溝６１の後端壁にはハンドル１３とプーリ軸６２が回転できるように設置されており、前記ハンドル１３の左端が外部に位置し、前記ハンドル１３には主動プーリ５７が固定され、前記プーリ軸６２にはベルト６０と前記主動プーリ５７によって摩擦伝動を行う従動プーリ６３が固定され、前記ベルト６０の左端面には運動ブロック６４が固定され、それに、前記扇形ブロック５５を九十度回転すると、前記扇形ブロック５５が前記細溝５３の中に入れる。
【００１７】
以下、付図１−６及び上記の本願発明の多機能自動車収納箱の具体的な構造を参考してその使い方を詳しく説明し、
【００１８】
机を使う時、蓋１７を取り外し、二つの机の板１４を上へ限界まで引っ張って回転し、縦棒３９を推し動かしてて降ろし、これにより台形ブロック４１を押し動かして阻止溝２１の中に入らせてロックし、二つの机の板１４はテーブルに組み立てる。
【００１９】
ワイン等割れ物を収納する時、ネジ山軸３０を回転し、ネジ山軸３０と方形ブロック２９とのネジ山による噛み合いを通じて、方形ブロック２９を後へ移動連動させ、二つの斜面ブロック３６を互いに遠ざからせ、回転棒２８を推して回転させ、主動歯車２６と従動軸２５との噛合によって、支え棒２３を回転連動させ、ワイン瓶を回転棒２８と支え棒２３によって組み立てられるホルダーに置き、溝ブロック１８を引っ張って回転板２０を九十度回転し、短棒５１を九十度回転連動させ、ハンドル１３を回転し、運動ブロック６４をベルト６０に従って降下連動させ、短棒を推して降下させ、回転板２０がワイン瓶の上端をきつく挟むようになると、回転板２０の上側に他の物品を収納できる。
【００２０】
本発明の有益な効果は：この装置は使用が便利であり、基本的な収納機能を満足する上に、テーブルに形成でき、使用者の書写及び他の操作に便利を与え、また、ガラス瓶など割れ物の収納に対しては三角形のホルダーに形成でき、運転中に衝撃による損害を避ける。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。